(57)【要約】【課題】ステープルやパンチ穴開け等の後処理部分と出力画像との位置関係を、出力前にユーザが確認でき、この位置関係を調整できるようにする。【解決手段】画像データの印字位置および後処理の位置を定める設定情報の設定を行うための操作手段と、出力対象の画像データのプレビュー画像を表示する表示手段と、画像データを印刷媒体に印字する書込手段と、書込手段で印字された印刷媒体に対して後処理を行う後処理手段と、本画像処理装置を制御する制御手段とを備え、制御手段は、後処理の設定がある場合に、後処理後の仕上がりイメージを表示手段にプレビュー表示させるとともに、操作手段を用いた設定情報の変更があった場合に、設定情報の変更をプレビュー画面に反映させる。【選択図】図１
2011041046.tif 000002
【特許請求の範囲】
【請求項１】
画像データの印字位置および後処理の位置を定める設定情報の設定を行うための操作手段と、
出力対象の画像データのプレビュー画像を表示する表示手段と、
前記画像データを印刷媒体に印字する書込手段と、
前記書込手段で印字された印刷媒体に対して後処理を行う後処理手段と、
本画像処理装置を制御する制御手段とを備え、
前記制御手段は、後処理の設定がある場合に、後処理後の仕上がりイメージを前記表示手段にプレビュー表示させるとともに、前記操作手段を用いた前記設定情報の変更があった場合に、該設定情報の変更をプレビュー画面に反映させることを特徴とする画像処理装置。
【請求項２】
前記制御手段は、前記後処理による後処理部分および前記画像データの印字位置に関し一方が他方に対し所定範囲内にある場合に、警告を前記表示手段にさらに表示させることを特徴とする請求項１に記載の画像処理装置。
【請求項３】
前記制御手段は、前記後処理による後処理部分および前記画像データの印字位置に関し一方が他方に対し所定範囲内にある場合に、前記一方または他方が前記所定範囲外となる推奨設定値を前記表示手段にさらに表示させることを特徴とする請求項１に記載の画像処理装置。
【請求項４】
前記制御手段は、前記プレビュー表示の際、操作手段により前記設定情報に含まれる画像データの印字位置の修正設定が行われた場合、画像データの印字位置を修正した修正後の仕上がりイメージを前記表示手段に再度プレビュー表示させることを特徴とする請求項１に記載の画像処理装置。
【請求項５】
前記制御手段は、前記プレビュー表示の際、前記操作手段により後処理を行う位置の修正設定が行われた場合、後処理部分の位置を修正した修正後の仕上がりイメージを前記表示手段に再度プレビュー表示させることを特徴とする請求項１に記載の画像処理装置。
【請求項６】
前記制御手段は、前記プレビュー表示の際、前記後処理による後処理部分および前記画像データの印字位置に関し一方が他方に対し所定範囲内にある場合、前記後処理部分と画像データの印字位置との位置関係をメッセージとして前記表示手段にさらに表示させることを特徴とする請求項２に記載の画像処理装置。
【請求項７】
前記制御手段は、前記プレビュー表示の際、前記後処理による後処理部分および前記画像データの印字位置に関し一方が他方に対し所定範囲内にある場合、前記一方または他方が前記所定範囲外となる推奨設定値と該推奨設定値を用いた場合の仕上がりイメージを前記表示手段に表示させることを特徴とする請求項３に記載の画像処理装置。
【請求項８】
前記表示手段はタッチパネルを備え、前記制御手段は、該タッチパネルを用いて前記プレビュー画面上の前記後処理による後処理部分および前記画像データの印字イメージに対して指示入力された位置およびその移動量を検知し、該指示入力された位置およびその移動量に応じて、前記後処理部分および画像データの印字位置の位置関係を変更し、該変更を前記設定情報およびプレビュー画面に反映させることを特徴とする請求項４および請求項５に記載の画像処理装置。
【請求項９】
前記後処理には、ステープル留めおよび／またはパンチ穴開けが含まれることを特徴とする請求項１から請求項８のいずれか１項に記載の画像処理装置。
【請求項１０】
画像データの印字位置および後処理の位置を定める設定情報の設定を行うための操作手段と、
出力対象の画像データのプレビュー画像や前記操作部で設定した設定情報を表示する表示手段と、
前記画像データを印刷媒体に印字する書込手段と、
前記書込手段で印字された印刷媒体に対して後処理を行う後処理手段と、
本画像処理装置を制御する制御手段とを備える画像処理装置において、
前記制御手段が、後処理の設定がある場合に、後処理後の仕上がりイメージを前記表示手段にプレビュー表示させるとともに、前記操作手段を用いた前記設定情報の変更があった場合に、該設定情報の変更をプレビュー画面に反映させることを特徴とする画像処理方法。
【発明の詳細な説明】
【技術分野】
【０００１】
本発明は、デジタル複合機（ＭＦＰ）に代表される、ステープル留めやパンチ穴開け等の後処理機能を有する画像処理装置およびこの画像処理装置における画像処理方法に関する。
【背景技術】
【０００２】
従来より、複写機、ファクシミリ、プリンタ、スキャナ等の機能を複合した複合機や、その他の画像形成装置や、これらに指示するＰＣ等のホストコンピュータには、出力する画像のプレビュー表示をする機能を有するものがある。
【０００３】
例えば、特許文献１には、プレビュー表示された画像データに対して編集操作が行われると、その編集に基づく実画像データを作成する画像読取り装置の発明が開示されている。この画像読取り装置では、プレビュー表示のＯＮ／ＯＦＦを切り替えることができ、プレビュー表示ＯＮの場合は、プレビュー画像による編集指示を行うことができる。そして、編集指示に従い、実画像も処理される。また、プレビュー表示ＯＦＦの場合は、プレビュー表示を行わず、通常の読み取り動作を行うものとなっている。
【０００４】
また、特許文献２には、集約印刷機能選択時に、ページの並び順をユーザの意図する並び順に修正する操作画面と、集約した結果をプレビュー画面に表示することができる画像処理装置の発明が開示されている。
【発明の概要】
【発明が解決しようとする課題】
【０００５】
しかしながら、特許文献１の画像読取り装置では、プレビュー画像は出力画像そのもののみに対する加工（編集）を指示するための表示であって、ステープル留めやパンチ穴開け等の後処理部分との位置関係など、仕上がりイメージを正確に確認できるものではない。また、特許文献２の画像処理装置も、集約した結果をプレビュー画面に表示するものであって、ステープル留めやパンチ穴開け等の後処理部分との位置関係など、仕上がりイメージを正確に確認できるものではない。
【０００６】
このように、従来は、出力物に対するステープル留めやパンチ穴開け等の後処理のことまで配慮されておらず、画像出力後に出力画像と後処理部分との位置関係がよくない場合は再度出力し直すことになり、用紙の無駄と印字出力を繰り返す時間の無駄があった。
【０００７】
本発明は、上記に鑑みてなされたものであって、ステープル留めやパンチ穴開け等の後処理部分と出力画像との位置関係を、出力前にユーザが確認でき、この位置関係を調整できる画像処理装置および画像処理方法を提供することを目的とする。
【課題を解決するための手段】
【０００８】
上述した課題を解決し、目的を達成するために、本発明の画像処理装置は、画像データの印字位置および後処理の位置を定める設定情報の設定を行うための操作手段と、出力対象の画像データのプレビュー画像を表示する表示手段と、前記画像データを印刷媒体に印字する書込手段と、前記書込手段で印字された印刷媒体に対して後処理を行う後処理手段と、本画像処理装置を制御する制御手段とを備え、前記制御手段は、後処理の設定がある場合に、後処理後の仕上がりイメージを前記表示手段にプレビュー表示させるとともに、前記操作手段を用いた前記設定情報の変更があった場合に、該設定情報の変更をプレビュー画面に反映させることを特徴とする。
【０００９】
また、本発明の画像処理方法は、画像データの印字位置および後処理の位置を定める設定情報の設定を行うための操作手段と、出力対象の画像データのプレビュー画像や前記操作部で設定した設定情報を表示する表示手段と、前記画像データを印刷媒体に印字する書込手段と、前記書込手段で印字された印刷媒体に対して後処理を行う後処理手段と、本画像処理装置を制御する制御手段とを備える画像処理装置において、前記制御手段が、後処理の設定がある場合に、後処理後の仕上がりイメージを前記表示手段にプレビュー表示させるとともに、前記操作手段を用いた前記設定情報の変更があった場合に、該設定情報の変更をプレビュー画面に反映させることを特徴とする。
【発明の効果】
【００１０】
本発明によれば、ステープルやパンチ穴開け等の後処理部分と出力画像との位置関係を、出力前にユーザがその確認と調整をすることができ、従来のように出力後に出力物を確認して仕上がりがよくない場合に再出力するといった無駄を省くことができる。
【図面の簡単な説明】
【００１１】
【図１】図１は、本発明の一実施の形態にかかるデジタル複合機（ＭＦＰ）の全体構成を示すブロック図である。
【図２】図２は、同実施形態における制御手段としてのＣＰＵとその制御プログラムにより提供される特徴的な機能を示した機能ブロック図である。
【図３】図３は、同実施形態のデジタル複合機におけるプレビュー表示の際の動作フローチャートである。
【図４】図４は、実施例１としての、操作部で設定される設定情報と、表示部でのプレビュー表示を示す図である。
【図５】図５は、実施例２としての、操作部で設定される設定情報と、表示部でのプレビュー表示を示す図である。
【図６】図６は、実施例３としての、操作部で設定される設定情報と、表示部でのプレビュー表示を示す図である。
【図７】図７は、実施例４としての、操作部で設定される設定情報と、表示部でのプレビュー表示を示す図である。
【図８】図８は、実施例５としての、操作部で設定される設定情報と、表示部でのプレビュー表示を示す図である。
【図９】図９は、実施例６としての、操作部で設定される設定情報と、表示部でのプレビュー表示を示す図である。
【図１０】図１０は、実施例７としての、操作部で設定される設定情報と、表示部でのプレビュー表示を示す図である。
【図１１】図１１は、実施例８としての、操作部で設定される設定情報と、表示部でのプレビュー表示を示す図である。
【発明を実施するための形態】
【００１２】
以下に添付図面を参照して、この発明にかかる画像処理装置の一実施の形態を詳細に説明する。以下では、本画像処理装置として、デジタル複合機を例として説明する。
【００１３】
（実施の形態）
はじめに、本実施の形態にかかるデジタル複合機（ＭＦＰ）の全体構成について、図１を用いて説明する。図１は、本実施の形態にかかるデジタル複合機（ＭＦＰ）の全体構成を示すブロック図である。
【００１４】
図１において、１０１は、原稿を読み取り電子化した画像データを得る読取装置（スキャナ）である。１０２は、読取装置１０１で読み取った画像データに対して、下記の記憶装置１０６に蓄積される前に、γ補正、色変換、像域分離、解像度変換等の所定の画像処理を行う前段画像処理部である。１０３は、下記の記憶装置１０６から読み出された画像データに対して、出力先に配信する前に、色変換、γ補正、解像度変換、階調処理等の所定の画像処理を行う後段画像処理部である。
【００１５】
１０４は、ＣＰＵであり、１０５および１０６はそれぞれ、ＣＰＵ１０４に接続するバスを経由して画像データや設定情報等を一時的に記憶するメモリと、画像データを蓄積し制御プログラム等の各種プログラムやデータを記憶するＨＤＤ等の記憶装置である。
【００１６】
なお、本実施形態における設定情報には、ステープル留めをするか否かおよびステープル留めをする場合のステープルの位置を定めるステープル設定や、パンチ穴開けをするか否かおよびパンチ穴開けをする場合のパンチ穴の位置を定めるパンチ穴設定や、出力画像データの位置を定めるための設定等が含まれる。ここで、ステープル留めの位置やパンチ穴の位置は、所定の基準位置を基準に定められる。
【００１７】
１０７は、転写紙等の印刷媒体に画像データを印字する書込装置である。１０８は、書込装置１０７で印字した転写紙に対して、パンチ穴開け、ステープル留め、転写紙の折り曲げ等ができる後処理部（フィニッシャーとも呼ばれる）である。
【００１８】
１０９は、外部にあるＭＦＰ１１０やＰＣ１１１等の外部装置と、ネットワーク回線を介して画像データを送受信するためのインターフェースであるネットワークインターフェース部である。１１２は、外部にあるＦＡＸ１１３等の外部装置と、電話回線を介して画像データを送受信するモデム部である。
【００１９】
１１４は、ユーザが、本デジタル複合機１００に対し各種操作入力をするための操作部である。１１５は、記憶装置１０６に蓄積された画像データの表示や後述のプレビュー表示や、ユーザが操作部１１４から設定した設定情報の表示をする表示部である。
【００２０】
本デジタル複合機１００では、画像データに対する画像処理の結果や後処理での処理結果を表示部１１５にプレビュー表示することができ、ユーザはこのプレビューを見て所望の出力イメージと異なる場合に、操作部１１４で設定値変更を行うことにより所望の出力とすることができる画像処理装置を構成する。
【００２１】
なお、本実施形態における操作部１１４および表示部１１５はそれぞれ、設定情報を設定するための操作手段およびプレビュー表示をするための表示手段として機能するが、外部のホストコンピュータから画像データの印字および後処理を指示する場合には、外部のホストコンピュータとなるＰＣ１１１等がもつキーボードやマウス等の入力装置およびモニタ等の表示装置が、この操作手段および表示手段として機能する。この場合、デジタル複合機１００と外部ホスト間で設定および表示のために必要なデータの送受信が行われる。もちろん、デジタル複合機１００が有する、読取装置１０１、前段画像処理部１０２、後段画像処理部１０３、書込装置１０７、後処理部１０８以外の構成要素は、外部のホストコンピュータも有し得るので、後述の一連の処理は外部のホストコンピュータ側で実施することもできる。
【００２２】
次に、図２に、本実施形態における制御手段としてのＣＰＵ１０４とその制御プログラムにより提供される特徴的な機能を機能ブロック図として示し、その説明をする。
【００２３】
プレビュー表示部２０１は、出力する画像データのプレビュー表示が指示されると、当該画像データの印刷媒体に対する印字イメージを含むプレビュー画像を表示部１１５に表示するとともに、ステープル留めやパンチ穴開け等の後処理の設定がされている場合は、プレビュー画面の印刷媒体のイメージ上に重ねて、ステープル位置とパンチ穴位置を表示する。また、設定情報の変更があった場合、変更された設定情報に基づいて変更したプレビュー画像を再表示する。
【００２４】
設定入力受付部２０２は、操作部１１４から入力された設定値を受け付ける。設定情報更新部２０３は、設定入力受付部２０２が受け付けた設定値で、メモリ１０５に記憶されている設定情報を更新する。
【００２５】
メッセージ表示部２０４は、出力画像と後処理部分の位置関係を判定し、後処理部分が出力画像に対して重なるなど所定範囲内にある場合に、プレビュー表示部２０１によるプレビュー画像に、後述の警告の表示や推奨設定値の表示等の、ユーザに対するメッセージ画像を付加する。
【００２６】
次に、本実施形態のデジタル複合機１００におけるプレビュー表示に係る処理について、図３を用いて説明する。図３は、本実施形態のデジタル複合機１００におけるプレビュー表示の際の動作フローチャートである。以下では、後処理として、ステープル留めとパンチ穴開けを例として説明するが、後処理部１０８で行う後処理には、転写紙の折り曲げ等、種々の後処理が含まれる。また、以下の処理は、デジタル複合機１００のＣＰＵ１０４が、記憶装置１０６に記憶された上記機能を有する制御プログラムを、メインメモリであるメモリ１０５にロードし実行することにより実現される。
【００２７】
はじめに、ユーザにより操作部１１４を用いた、出力する画像データのプレビュー表示が指示されると、デジタル複合機１００は、当該画像データの印字イメージのプレビュー画像を表示部１１５に表示する（ステップＳ３０１）。このとき、ステープル留めやパンチ穴開けの後処理の設定がされている場合は、プレビュー画面の転写紙のイメージ上に重ねて、ステープル位置とパンチ穴位置を表示する。これにより、ユーザは、設定されたステープル位置とパンチ穴位置を、画像データの出力前に視認することができる。
【００２８】
その後、後処理に関する設定の変更のためなど、ユーザによる操作部１１４を用いた設定入力があると（ステップＳ３０２でＹｅｓ）、ステップＳ３０３へ進み、デジタル複合機１００は、メモリ１０５に記憶されている設定情報を更新する。そして、更新された設定情報に基づいたプレビュー画像を表示部１１５に再表示する（ステップＳ３０４）。
【００２９】
一方、ステップＳ３０２段階で設定入力がない場合は、ステップＳ３０５へ進む。そして、ユーザによるプレビュー表示終了の指示があった場合（ステップＳ３０５でＹｅｓ）、デジタル複合機１００はプレビュー表示を終了し、そうでない場合は（ステップＳ３０５でＮｏ）、ステップＳ３０２以降の処理を繰り返し、プレビュー表示を継続する。なお、ステップＳ３０１のプレビュー表示やステップＳ３０４のプレビュー再表示の時点で、後述の実施例で説明する警告の表示や推奨設定の表示を行うようにすることもできる。
【００３０】
続いて、プレビュー表示の具体的な諸実施例を図４〜１１を用いて以下に説明する。
【００３１】
（実施例１）
図４に、実施例１としての、操作部１１４で設定される設定情報と、表示部１１５でのプレビュー表示を示す。本実施例では、出力する画像データとステープルやパンチ穴などの後処理後の仕上がりイメージを併せて表示部１１５にプレビュー画像として表示している。ユーザはその仕上がりイメージを見ながら、操作部１１４で設定の変更を行い、後処理を含めて所望の出力結果になるまで変更を加えることができる。
【００３２】
例えば、ステープルとパンチ穴を同時に行う後処理設定をした場合、表示部１１５に仕上がりイメージを示すプレビュー画面２０１を表示する際、出力する画像データの印字イメージに対して、ステープル位置表示４０２やパンチ穴位置表示４０３を合成した画像を表示部１１５に表示する（図４（Ａ））。このとき、ユーザは、ステープルの位置やパンチ穴の位置が出力する画像に対して所望の位置にあるか否かをプレビュー画面で確認した上で、例えば、パンチ穴設定をＯＦＦとして、パンチ穴開けの取り止めをすることもできる（図４（Ｂ））。
【００３３】
このように、ユーザは、表示部１１５に表示された仕上がりイメージのプレビューを見ながら、所望の位置にステープル位置やパンチ穴位置が配置されているかを転写紙に印字する前に画面上で確認できる。したがって、転写紙に画像データを印字して、ステープル留めやパンチ穴開け等の後処理を行った後に、所望の出力結果が得られなかった場合に、出力し直すといったことを防ぐことができる。
【００３４】
（実施例２）
図５に、実施例２としての、操作部１１４で設定される設定情報と、表示部１１５でのプレビュー表示を示す。本実施例でも、プレビュー画面に後処理を含めた出力結果の仕上がりイメージを表示する。後処理としてステープルとパンチ穴を設定した場合に、画像データの印字位置がステープルの位置と重なっていたとすると、プレビュー画面に画像データの印字イメージと後処理でのステープル留めの位置が重なった仕上がりイメージを表示する（図５（Ａ））。さらに、警告画面５０１に画像データと後処理部分が重なっている旨のメッセージを表示する（図５（Ｂ））。
【００３５】
図５の例では、ステープルの位置が画像データの印字位置と重なる位置となっているため、ユーザに対してこのまま出力先に出力しても良いかを対話的に確認する目的で、警告画面５０１にステープルと出力画像が重なっている旨の警告を表示する。この警告によって、ユーザは画像データを転写紙に転写して初めて画像が後処理によるステープルと重なってしまっていることを知るといったことがなくなり、印字のやり直しや、用紙を無駄にすることが無くなる。
【００３６】
（実施例３）
図６に、実施例３としての、操作部１１４で設定される設定情報と、表示部１１５でのプレビュー表示を示す。本実施例でも、プレビュー画面に後処理を含めた出力結果の仕上がりイメージを表示する。後処理としてステープルとパンチ穴を設定した場合に、画像データの印字位置がステープルの位置と重なっていたとすると、プレビュー画面４０１に出力後の画像データの印字イメージと後処理でのステープル留めの位置が重なった仕上がりイメージを表示する（図６（Ａ））。さらに、推奨設定表示画面６０１に出力画像とステープルの重なりを回避するための推奨設定値を表示部１１５上に表示する（図６（Ｂ））。推奨設定は、画像データを右方向にＸ  ｍｍシフトするとステープルと出力画像が重ならなくなるといった、ユーザに設定値を誘導する情報（この情報は、出力する画像データの印字位置と後処理部分の位置の関係から求めることができる）を表示する。
【００３７】
このように、後処理によるステープルやパンチ穴が出力画像に重なる場合に、この重なりを回避する推奨設定値を表示部１１５に表示し、デジタル複合機１００が提案することによって、ユーザが画像データを転写紙に出力した後に、上記重なりに気が付き、印字のやり直しとなり、用紙を無駄にするといったことが無くなる。また、ユーザはどのように設定値を変更すれば上記重なりを回避できるのか解らない場合に、推奨設定を使い、所望の出力結果に近づけることができる。
【００３８】
（実施例４）
図７に、実施例４としての、操作部１１４で設定される設定情報と、表示部１１５でのプレビュー表示を示す。本実施例でも、プレビュー画面に後処理を含めた出力結果の仕上がりイメージを表示する。そして、本実施例では、出力する画像データの印字位置とステープルやパンチ穴の後処理部分が重なる場合に、この重なりを回避するために、画像データの印字位置を修正できるようにしている。印字位置の修正に際しては、基準位置に対して、主走査方向（Ｘ軸方向）、副走査方向（Ｙ軸方向）にそれぞれ、何ｍｍ印字位置を移動したかを画面上に表示する（図７（Ｂ）の設定値表示画面７０１）。ユーザが表示部１１５に表示されたプレビュー画面を見て、上記重なりを確認した場合（図７（Ａ））、ユーザは、プレビュー画面を見ながら、画像データの印字位置を操作部１１４からの操作によって設定情報を変更することにより、画像データの印字位置を移動させることができる。
【００３９】
図７では、画像データを、主走査方向（Ｘ軸方向）、副走査方向（Ｙ軸方向）のそれぞれにオフセットをつけて移動する例を示している。図７（Ｂ）に示すように、基準位置から主走査方向（Ｘ軸方向）に４０ｍｍ、副走査方向（Ｙ軸方向）に１００ｍｍだけ画像データの印字位置にオフセットを付けて移動させることで、出力画像とステープルとの重なりを回避している。オフセット量は、表示部１１５上に画像オフセットに関する設定値表示画面７０１として表示することができ、ユーザは画面上の仕上がりイメージとオフセット量の設定値を見て、所望の出力イメージになるまでプレビュー画面で確認しながら設定値変更を行うことができる。
【００４０】
このように、出力する画像データの印字位置と後処理によるステープル等の位置が重なる場合に、操作部１１４から画像データの印字位置の修正設定を行い、修正後の仕上がりイメージを表示部１１５に再度プレビュー表示することができる。つまり、所望の仕上がりになるまで操作部１１４での修正設定と表示部１１５での仕上がりの確認を繰り返し行うことができることによって、転写紙に印字出力することなく何度でも設定値変更を試すことができる。これにより、出力結果はユーザの満足するものとなり、用紙の無駄と印字出力を繰り返す時間の無駄を省くことができる。
【００４１】
（実施例５）
図８に、実施例５としての、操作部１１４で設定される設定情報と、表示部１１５でのプレビュー表示を示す。本実施例でも、プレビュー画面に後処理を含めた出力結果の仕上がりイメージを表示する。そして、本実施例では、出力する画像とステープルやパンチ穴の後処理部分が重なる場合に（図８（Ａ））、この重なりを回避するために、後処理を行う位置を修正できるようにしている。後処理の位置の修正に際しては、基準位置に対して、主走査方向（Ｘ軸方向）、副走査方向（Ｙ軸方向）にそれぞれ、何ｍｍの位置かを画面上に表示する。ユーザが表示部１１５に表示されたプレビュー画面を見て、上記重なりを確認した場合、プレビュー画面を見ながら、後処理の位置を操作部１１４からの操作により設定情報を変更することによって移動させることができる。
【００４２】
図８では、出力する画像データの印字位置に対してステープルおよびパンチ穴の位置が適切でないことをプレビュー画面で確認した場合に、ステープル位置およびパンチ穴位置を、主走査方向（Ｘ軸方向）、副走査方向（Ｙ軸方向）のそれぞれに移動する例を示している。ステープル位置を基準位置から主走査方向（Ｘ軸方向）に２ｍｍ、副走査方向（Ｙ軸方向）に５ｍｍの位置に変更し、パンチ穴位置を基準位置から主走査方向（Ｘ軸方向）に３ｍｍの位置に変更することで、出力する画像データの印字位置と後処理部分の位置関係を改善している（図８（Ｂ））。
【００４３】
図８の例では、ステープル位置とパンチ穴位置を、表示部１１５上に設定値表示画面８０１として表示させている。ユーザは画面上の仕上がりイメージと後処理の位置を表す設定値を見て、所望の出力イメージになるまでプレビュー画面で確認しながら設定値変更を行うことができる。したがって、転写紙に印字出力することなく何度でも所望の出力結果イメージになるまで設定値変更を試してプレビュー画像で確認することができる。これにより、出力結果はユーザの満足するものとなり、用紙の無駄と印字出力を繰り返す時間の無駄を省くことができる。
【００４４】
（実施例６）
図９に、実施例６としての、操作部１１４で設定される設定情報と、表示部１１５でのプレビュー表示を示す。本実施例でも、プレビュー画面に後処理を含めた出力結果の仕上がりイメージを表示する。そして、本実施例では、出力する画像データの印字位置と後処理部分が重なる場合に（図９（Ａ））、画像データの印字イメージとどの後処理部分が重なっているのかを表示部１１５に警告として表示し、さらにどの程度重なっているのかを併せて表示する。図９の例では、画像データの印字イメージとステープルやパンチ穴の後処理部分が何ｍｍ重なっているかを表示部１１５に警告画面９０１として表示している（図９（Ｂ））。
【００４５】
図９の例は、出力する画像データの印字位置とステープルが１５ｍｍ重なっている場合を示している。このように出力する画像データの印字イメージとステープルが重なっている様子と、何ｍｍ重なっているかをプレビュー画面上で確認できることによって、ユーザは迷うことなくその数値を目安にして所望の出力結果イメージになる設定値を見つけることができ、設定情報の設定値の変更を行うことができる。
【００４６】
（実施例７）
図１０に、実施例７としての、操作部１１４で設定される設定情報と、表示部１１５でのプレビュー表示を示す。本実施例でも、プレビュー画面に後処理を含めた出力結果の仕上がりイメージを表示する。そして、本実施例では、出力する画像データの印字位置と後処理部分が重なっている場合に（図１０（Ａ））、どの位置の画像データと後処理部分が重なっているのかを表示部１１５に警告として表示し、どの程度重なっているのかを併せて表示し、さらにこの重なりを解消するための推奨設定を表示する。
【００４７】
具体的には、画像データの印字イメージとステープルやパンチ穴の後処理部分が何ｍｍ重なっているのか、また、推奨設定として、画像データの印字イメージを何ｍｍシフトすると後処理部分との重なりを解消できるか、またはステープルやパンチ穴の後処理部分を何ｍｍシフトすると重なりを解消できるかを示す表示を、警告及び推奨設定表示画面１００１に表示する（図１０（Ｂ））。さらに、推奨設定にした場合の仕上がりイメージを表示部１１５にプレビューとして表示することによって、ユーザに出力結果を画面上で提示する。なお、推奨設定にした場合の仕上がりイメージの表示は、元のプレビュー画像と順次切り替えられるようにしてもよいし、同時に表示するようにしてもよい。
【００４８】
このように、画像データの印字イメージと後処理部分の重なり具合と重なりを解消できる設定値（推奨設定）を表示部１１５に表示するとともに、推奨設定にした場合の仕上がりイメージを表示部１１５に表示することによって、ユーザが迷うことなく画像データと後処理部分の重なりを回避する設定を行うことができる。また、どのように設定値を変更したら良いか解らない場合に、推奨設定を使うことによって、出力する画像データの印字位置と後処理部分が重ならない設定に素早く修正することができる。
【００４９】
（実施例８）
図１１に、実施例８としての、操作部１１４で設定される設定情報と、表示部１１５でのプレビュー表示を示す。本実施例でも、プレビュー画面に後処理を含めた出力結果の仕上がりイメージを表示する。そして、本実施例では、特に、表示部１１５が、その表示画面前面にタッチパネル１１０１を備え、指やタッチペンにより入力操作ができる構成としている。出力する画像データの印字位置と後処理部分が重なっている場合は（図１１（Ａ））、表示部１１５に表示されたプレビュー表示画面に対して直接、タッチパネルへの指での操作やタッチペンでの操作によって、画像データの印字イメージや後処理部分の位置を操作する。すなわち、タッチパネルを用いて指示された位置およびその移動量を検知して、検知された情報に応じて、操作された画像データの印字イメージや後処理部分をプレビュー画面上で移動させ、仕上がりイメージ（図１１（Ｂ）の１１０２）として再度ユーザにプレビューとして提示する。この操作は、所望の出力結果イメージになるまで繰り返すことができる。画面上での操作結果は、自動的に設定情報の設定値に反映され、画像データの印字位置やステープルやパンチ穴の後処理部分の位置を示す設定値として設定される。
【００５０】
ユーザは、表示部１１５にプレビュー表示した画像データの印字位置や後処理部分の位置を確認しながら、画面上でプレビュー画像に対して印字位置および後処理部分の位置をずらす操作を行うことによって、印字位置と後処理部分の位置関係を所望の位置関係に修正することができる。これにより、ユーザが設定値の数値を直接入力することなく、直感的に所望の出力結果イメージに設定値を変更することができる。
【００５１】
なお、画像データの印字位置と後処理部分の位置は任意に設定可能であり、上記の諸実施例のように画像データの印字位置と後処理部分が実際に重なる場合だけでなく、画像データの印字位置に対し後処理部分が所定範囲内にあってユーザにより不適切と判断されるような位置関係にある場合などでも、適宜その位置関係を変更することができる。
【００５２】
また、本実施形態の画像処理装置としてのデジタル複合機において、ＣＰＵ１０４により実行される制御プログラムは、ＲＯＭ等の不揮発性記憶媒体に予め組み込まれて提供される。
【００５３】
また、上記プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００５４】
さらに、上記プログラムを、インターネット等のネットワークに接続されたコンピュータ上に格納し、ネットワーク経由でダウンロードさせることにより提供するように構成しても良い。また、上記プログラムをインターネット等のネットワーク経由で提供または配布するように構成しても良い。
【００５５】
また、上記実施の形態では、本発明の画像処理装置を、コピー機能、プリンタ機能、スキャナ機能およびファクシミリ機能のうちの複数の機能を有するデジタル複合機に適用した例を挙げて説明したが、前述のように、複写機、プリンタ、ファクシミリ装置等の画像形成装置で後処理機能を有するもの、または、これらに対し画像形成および後処理の指示をするホストとなる情報処理装置であればいずれにも適用することができる。
【符号の説明】
【００５６】
１００…デジタル複合機
１０１…読取装置
１０２…前段画像処理部
１０３…後段画像処理部
１０４…ＣＰＵ
１０５…メモリ
１０６…記憶装置
１０７…書込装置
１０８…後処理部
１０９…ネットワークインターフェース部
１１０…ＭＦＰ
１１１…ＰＣ
１１２…モデム部
１１３…ＦＡＸ
１１４…操作部
１１５…表示部
【先行技術文献】
【特許文献】
【００５７】
【特許文献１】特開２００７−１５０５９７号公報
【特許文献２】特開２００８−２２８０２６号公報
【図１】
2011041046.tif 000003
【図２】
2011041046.tif 000004
【図３】
2011041046.tif 000005
【図４】
2011041046.tif 000006
【図５】
2011041046.tif 000007
【図６】
2011041046.tif 000008
【図７】
2011041046.tif 000009
【図８】
2011041046.tif 000010
【図９】
2011041046.tif 000011
【図１０】
2011041046.tif 000012
【図１１】
2011041046.tif 000013